【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
識別情報を可変表示可能な可変表示装置を備え、あらかじめ定められている可変表示の実行条件が成立した後、可変表示の開始条件の成立にもとづいて識別情報の可変表示を開始し、当該識別情報の表示結果が特定の表示結果となったときに遊技者にとって有利な特定遊技状態に制御可能となる遊技機であって、
遊技制御プログラムにもとづいて遊技の進行を制御する遊技制御手段と、
前記遊技制御手段が送信する識別情報の可変表示態様を示すコマンドにもとづいて、識別情報の可変表示に関わる演出を実行可能な演出手段を制御する演出制御手段とを備え、
前記遊技制御手段は、
前記特定遊技状態に制御するか否かを決定するために用いられる判定用数値データを更新する判定用数値データ更新手段と、
可変表示の実行条件の成立時に、前記判定用数値データにもとづいて前記特定遊技状態に制御されることとなるか否かを判定する実行条件成立時判定手段と、
可変表示の実行条件の成立時に前記判定用数値データを抽出して所定の記憶領域に格納し、可変表示の開始条件の成立時に、前記記憶領域に格納した前記判定用数値データを読み出し、読み出した当該判定用数値データにもとづいて前記特定遊技状態に制御するか否かを決定する遊技状態決定手段とを含み、
前記遊技制御手段は、可変表示の実行条件が成立したが未だ開始されていない識別情報の可変表示の回数である保留記憶数を特定可能なコマンドであって前記実行条件成立時判定手段による判定結果を特定可能な情報を含む保留記憶数コマンドを前記演出制御手段に送信可能であり、
前記演出制御手段は、
前記保留記憶数コマンドの受信にもとづいて前記保留記憶数を表示する保留記憶数表示手段の制御を行う保留記憶数表示制御手段を含み、
前記保留記憶数コマンドで特定される前記実行条件成立時判定手段による判定結果にもとづいて、前記可変表示装置にて、可変表示の開始条件が成立する以前に、前記特定遊技状態に制御されることを事前に報知するための演出表示を実行可能であり、
前記遊技制御プログラムにて、前記遊技状態決定手段が前記特定遊技状態に制御するか否かを決定するために用いるプログラムモジュールと前記実行条件成立時判定手段が前記特定遊技状態に制御されることとなるか否かを判定するために用いるプログラムモジュールとが共通モジュールとして構成されている
ことを特徴とする遊技機。
【手続補正２】
【補正対象書類名】明細書
【補正対象項目名】００１０
【補正方法】変更
【補正の内容】
【００１０】
本発明による遊技機は、識別情報を可変表示可能な可変表示装置（例えば可変表示装置９）を備え、あらかじめ定められている可変表示の実行条件（例えば、遊技領域に設けられた始動入賞領域への入賞）が成立した後、可変表示の開始条件（例えば、前回の特別図柄の可変表示および大当り遊技状態の終了）の成立にもとづいて識別情報の可変表示を開始し、当該識別情報の表示結果が特定の表示結果（例えば左中右図柄が同一の図柄）となったときに遊技者にとって有利な特定遊技状態（例えば、大当り遊技状態）に制御可能となる遊技機であって、遊技制御プログラムにもとづいて遊技の進行を制御する遊技制御手段（例えばＣＰＵ５６等）と、遊技制御手段が送信する識別情報の可変表示態様を示すコマンドにもとづいて、識別情報の可変表示に関わる演出（変動パターンに対応した可変表示装置９、ランプ・ＬＥＤ、スピーカ２７による演出）を実行可能な演出手段（例えば可変表示装置９、ランプ・ＬＥＤ、スピーカ２７）を制御する演出制御手段（例えば表示制御手段、ランプ制御手段、音制御手段）とを備え、遊技制御手段が、特定遊技状態に制御するか否かを決定するために用いられる判定用数値データ（例えば大当り判定用の乱数を発生するためのカウンタのカウント値）を更新する判定用数値データ更新手段（例えば大当り判定用の乱数を発生するためのカウンタのカウント値を更新するステップＳ２３の処理を行う部分）と、可変表示の実行条件の成立時に判定用数値データにもとづいて特定遊技状態に制御されることとなるか否かを判定する実行条件成立時判定手段（例えば遊技制御手段におけるステップＳ１１５〜Ｓ１１７を実行する部分）と、可変表示の実行条件の成立時に判定用数値データを抽出して所定の記憶領域（例えば始動入賞記憶数に応じて設けられているＲＡＭ５５の保存領域）に格納し（例えばステップＳ１１４の処理を実行し）、可変表示の開始条件の成立時に、記憶領域に格納した判定用数値データを読み出し（例えばステップＳ５３の処理を実行し）、読み出した判定用数値データにもとづいて特定遊技状態に制御するか否かを決定する（例えばステップＳ５３，Ｓ５７，Ｓ５８の処理による）遊技状態決定手段とを含み、遊技制御手段は、可変表示の実行条件が成立したが未だ開始されていない識別情報の可変表示の回数である保留記憶数（例えば始動入賞記憶数）を特定可能なコマンドであって実行条件成立時判定手段による判定結果を特定可能な情報を含む保留記憶数コマンドを演出制御手段に送信可能であり、演出制御手段は、保留記憶数コマンドの受信にもとづいて保留記憶数を表示する保留記憶数表示手段（例えば可変表示装置９）の制御を行う保留記憶数表示制御手段（例えば表示制御手段におけるステップＳ６３３を実行する部分）を含み、保留記憶数コマンドで特定される実行条件成立時判定手段による判定結果にもとづいて、可変表示装置にて、可変表示の開始条件が成立する以前に、特定遊技状態に制御されることを事前に報知するための演出表示（例えば連続予告（保留予告））を実行可能であり、遊技制御プログラムにて、遊技状態決定手段が特定遊技状態に制御するか否かを決定するために用いるプログラムモジュール（例えばステップＳ５７でコールするサブルーチン）と実行条件成立時判定手段が特定遊技状態に制御されることとなるか否かを判定するために用いるプログラムモジュール（例えばステップＳ１１６でコールするサブルーチン）とが共通モジュール（例えば大当り判定モジュール）として構成されていることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
請求項１記載の発明では、遊技制御手段が、可変表示の実行条件の成立時に、判定用数値データにもとづいて特定遊技状態に制御されることとなるか否かを判定する実行条件成立時判定手段と、可変表示の実行条件の成立時に判定用数値データを抽出して所定の記憶領域に格納し、可変表示の開始条件の成立時に、記憶領域に格納した判定用数値データを読み出し、読み出した判定用数値データにもとづいて特定遊技状態に制御するか否かを決定する遊技状態決定手段とを含み、実行条件成立時判定手段による判定結果を特定可能な情報を含む保留記憶数コマンドを演出制御手段に送信可能であり、演出制御手段が、保留記憶数コマンドで特定される実行条件成立時判定手段による判定結果にもとづいて、可変表示装置にて、可変表示の開始条件が成立する以前に、特定遊技状態に制御されることを事前に報知するための演出表示を実行可能であり、遊技制御プログラムにて、遊技状態決定手段が特定遊技状態に制御するか否かを決定するために用いるプログラムモジュールと実行条件成立時判定手段が特定遊技状態に制御されることとなるか否かを判定するために用いるプログラムモジュールとが共通モジュールとして構成されているので、実行条件成立時判定手段による判定結果にもとづいて可変表示の開始条件が成立する以前に所定の報知を行うための演出表示を実行するようにしても、遊技制御手段のプログラム容量を増大させないようにすることができる効果がある。また、保留記憶数コマンドが実行条件成立時判定手段による判定結果を特定可能な情報を含むように構成されているので、遊技制御手段から演出制御手段に送信されるコマンド数を削減することができる。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】